(57)【要約】【課題】親局の既存の構成に与える影響を抑えつつ子局の取替作業を適切に行う。【解決手段】現子局２０の第１データフォーマット、新子局４０の第２データフォーマットを表す情報と、複数の機器が夫々現子局２０及び新子局４０の何れに接続されているかを示す接続情報と、に基づいて、現子局２０から受信した第１データに含まれる複数の機器に係わる情報と、新子局４０から受信した第２データに含まれる複数の機器に係わる情報と、を統合した送信データを生成し、その生成した送信データを親局６０に送信する。【選択図】図２
2010068238.tif 000002
【特許請求の範囲】
【請求項１】
複数の機器と接続され当該複数の機器の夫々に係わる情報を第１データフォーマットに従って配列した第１データを生成する現子局、及び当該複数の機器と接続可能であり当該複数の機器の夫々に係わる情報を当該現子局の第１データフォーマットとは異なる第２データフォーマットに従って配列した第２データを生成する新子局と、親局との間のデータ通信を中継する通信中継装置において、
前記現子局から送信される前記第１データを受信する第１データ受信部と、
前記第１データ受信部により受信した前記第１データに含まれる前記複数の機器に係わる情報を記憶する第１データ情報記憶部と、
前記新子局から送信される前記第２データを受信する第２データ受信部と、
前記第２データ受信部により受信した前記第２データに含まれる前記複数の機器に係わる情報を記憶する第２データ情報記憶部と、
前記第１データフォーマットを表す情報と、前記第２データフォーマットを表す情報と、前記複数の機器が夫々前記現子局及び前記新子局の何れに接続されているかを示す接続情報と、を記憶する送信データ生成情報記憶部と、
前記送信データ生成情報記憶部に記憶した前記第１データフォーマットを表す情報、前記第２フォーマットを表す情報及び前記接続情報に基づいて、前記第１データ情報記憶部に記憶した前記第１データに含まれる前記複数の機器に係わる情報と、前記第２データ情報記憶部に記憶した前記第２データに含まれる前記複数の機器に係わる情報と、を統合した送信データを生成する送信データ生成部と、
前記送信データ生成部により生成した送信データを前記親局に送信する送信データ送信部と、
を有することを特徴とする通信中継装置。
【請求項２】
請求項１に記載の通信中継装置において、
前記接続情報は、前記現子局と接続されている複数の機器を、前記新子局との接続に段階的に切り替える場合、前記複数の機器が夫々段階毎に前記現子局及び前記新子局の何れに接続されているかを表す情報であること、
を特徴とする通信中継装置。
【請求項３】
請求項１又は２に記載の通信中継装置において、
前記送信データ生成部は、
前記接続情報に基づいて、記憶した前記第１データより前記現子局と接続される機器に係わる情報を抽出するとともに、記憶した前記第２データより前記新子局と接続される機器に係わる情報を抽出し、
抽出した前記現子局と接続される機器に係わる情報及び前記新子局と接続される機器に係わる情報を前記第１データフォーマット又は前記第２データフォーマットに従って配列した送信データを生成すること、
を特徴とする通信中継装置。
【請求項４】
請求項１乃至３のいずれか１項に記載の通信中継装置において、
前記送信データ生成部は、
前記現子局から前記第１データを受信したとき、又は、前記新子局から前記第２データを受信したとき、前記統合を行うこと、
を特徴とする通信中継装置。
【請求項５】
請求項４に記載の通信中継装置において、
前記送信データ生成部は、
前記現子局から前記第１データを受信したとき、受信した前記第１データに含まれる前記複数の機器に係わる情報と、前記第２データ情報記憶部に既に記憶されている前記第２データに含まれる前記複数の機器に係わる情報と、を統合し、
前記新子局から前記第２データを受信したとき、前記第１データ情報記憶部に既に記憶されている前記第１データに含まれる前記複数の機器に係わる情報と、受信した前記第２データに含まれる前記複数の機器に係わる情報と、を統合すること、
を特徴とする通信中継装置。
【請求項６】
請求項１乃至３のいずれか１項に記載の通信中継装置において、
前記送信データ生成部は、
前記新子局から前記第２データを受信したとき、前記第１データ情報記憶部に既に記憶されている前記第１データに含まれる前記複数の機器に係わる情報と、受信した前記第２データに含まれる前記複数の機器に係わる情報と、を統合すること、
を特徴とする通信中継装置。
【請求項７】
請求項６に記載の通信中継装置において、
前記送信データ生成部は、
前記第１データ情報記憶部に既に記憶されている前記第１データに含まれる前記第１データの第１取得時刻と、受信した前記第２データに含まれる前記第２データの第２取得時刻と、の時間差を算定し、
算定した前記時間差が所定の時間差以内の場合、前記統合を行うこと、
を特徴とする通信中継装置。
【請求項８】
請求項７に記載の通信中継装置において、
前記送信データ生成部は、
前記第１取得時刻と現時刻との時間差が所定の時間差を上回るとき、前記第１データ情報記憶部に記憶される情報を消去し、
前記第２取得時刻と現時刻との時間差が所定の時間差を上回るとき、前記第２データ情報記憶部に記憶される情報を消去すること、
を特徴とする通信中継装置。
【請求項９】
請求項７に記載の通信中継装置において、
前記送信データ生成部は、
前記送信データを前記親局に送信したとき、前記第１データ情報記憶部及び前記第２データ情報記憶部に記憶される情報を消去すること、
を特徴とする通信中継装置。
【請求項１０】
複数の機器と接続され当該複数の機器の夫々に係わる情報を第１データフォーマットに従って配列した第１データを生成する現子局、及び当該複数の機器と接続可能であり当該複数の機器の夫々に係わる情報を当該現子局の第１データフォーマットとは異なる第２データフォーマットに従って配列した第２データを生成する新子局と、親局との間のデータ通信を中継する通信中継装置の通信中継方法において、
前記通信中継装置は、
前記第１データフォーマットを表す情報と、前記第２データフォーマットを表す情報と、前記複数の機器が夫々前記現子局及び前記新子局の何れに接続されているかを示す接続情報と、を記憶するステップと、
前記現子局から送信される前記第１データ又は前記新子局から送信される前記第２データを受信するステップと、
受信した前記第１データ又は前記第２データに含まれる前記複数の機器に係わる情報を記憶するステップと、
記憶した前記第１データフォーマットを表す情報、前記第２データフォーマットを表す情報及び前記接続情報に基づいて、記憶した前記第１データ及び前記第２データの夫々に含まれる前記複数の機器に係わる情報を統合した送信データを生成するステップと、
生成した送信データを前記親局に送信するステップと、
を有することを特徴とする通信中継方法。
【発明の詳細な説明】
【技術分野】
【０００１】
本発明は、子局取替時に用いる通信中継装置、通信中継方法に関する。
【背景技術】
【０００２】
電力会社は、制御所（支社、営業所、給電所等）に設置される親局としての遠隔監視制御装置（以下、親局と呼ぶ。）と、電気所（発電所、変電所、開閉所等）に設置される子局としての遠隔監視制御装置（以下、子局と呼ぶ。）との間の通信ケーブルを介した通信によって、遠方の制御所より電気所が統括管理する機器の遠隔監視制御を行っている。
【０００３】
ところで、電気所に設置される現子局は、経年劣化やバージョンアップ等の理由により新子局に取り替えられる場合がある。この場合、親局の運用上の制約を最小限に抑えながら新子局に取り替えていく必要がある。このため、一般的には、電気所に新子局を通信ケーブルを介して親局と通信可能に接続し、現子局と接続される機器を新子局との接続に切り替え、親局等の所定のデータベース上で親局との現子局との接続を親局と新子局との接続に切替えた後、親局から現子局を切り離すといった手法が採用されている。
【０００４】
例えば、以下に示す特許文献１の図１並びに図５には、電気所の監視制御システムに旧い遠隔監視制御装置（子局ＴＣ）と新しい遠隔監視制御装置（子局ＴＣ）とが接続された状態で、遮断器と接続される制御ケーブルの接続先を旧い遠隔監視制御装置から新しい遠隔監視制御装置に切り替える旨が開示されている。さらに、監視制御システムの方で、機器シンボルを一画面に表示するとともに、仮想的に設けたソフトウェアスイッチによって、現地の制御ケーブルの切替に対応できるように監視制御装置の画面シンボルのポジションリンクを２重化する旨が開示されている。
【特許文献１】特開２００７−１５９２２０号公報
【発明の開示】
【発明が解決しようとする課題】
【０００５】
従来の子局取替手法の場合、例えば、親局は、新子局に向けて新たな通信ケーブル並びに新たな通信インタフェースを導入する必要がある。さらに、特許文献１に開示されたソフトウェアスイッチのような子局取替作業を効率的に行うための機能を、親局の方に新たに導入する必要がある。
【０００６】
このように、従来の子局取替手法の場合、親局の既存の構成に多大な改修や新機能の追加を行わなければならず、また、このために停電の長期化を引き起こす等、親局と接続される全ての子局に影響を与えるという課題があった。特に、複数の親局が存在する場合、全ての親局にて上記の改修や追加を行わなければならないため、上記の課題が顕著であった。
【０００７】
本発明は、上記のような課題に鑑みてなされたものであり、親局の既存の構成に与える影響を抑えつつ子局の取替作業を適切に行うことを目的とする。
【課題を解決するための手段】
【０００８】
前述した課題を解決する主たる本発明は、複数の機器と接続され当該複数の機器の夫々に係わる情報を第１データフォーマットに従って配列した第１データを生成する現子局、及び当該複数の機器と接続可能であり当該複数の機器の夫々に係わる情報を当該現子局の第１データフォーマットとは異なる第２データフォーマットに従って配列した第２データを生成する新子局と、親局との間のデータ通信を中継する通信中継装置において、前記現子局から送信される前記第１データを受信する第１データ受信部と、前記第１データ受信部により受信した前記第１データに含まれる前記複数の機器に係わる情報を記憶する第１データ情報記憶部と、前記新子局から送信される前記第２データを受信する第２データ受信部と、前記第２データ受信部により受信した前記第２データに含まれる前記複数の機器に係わる情報を記憶する第２データ情報記憶部と、前記第１データフォーマットを表す情報と、前記第２データフォーマットを表す情報と、前記複数の機器が夫々前記現子局及び前記新子局の何れに接続されているかを示す接続情報と、を記憶する送信データ生成情報記憶部と、前記送信データ生成情報記憶部に記憶した前記第１データフォーマットを表す情報、前記第２フォーマットを表す情報及び前記接続情報に基づいて、前記第１データ情報記憶部に記憶した前記第１データに含まれる前記複数の機器に係わる情報と、前記第２データ情報記憶部に記憶した前記第２データに含まれる前記複数の機器に係わる情報と、を統合した送信データを生成する送信データ生成部と、前記送信データ生成部により生成した送信データを前記親局に送信する送信データ送信部と、を有することを特徴とする。
【０００９】
また、上記の通信中継装置において、前記接続情報は、前記現子局と接続されている複数の機器を、前記新子局との接続に段階的に切り替える場合、前記複数の機器が夫々段階毎に前記現子局及び前記新子局の何れに接続されているかを表す情報であること、としてもよい。
【００１０】
また、上記の通信中継装置において、前記送信データ生成部は、前記接続情報に基づいて、記憶した前記第１データより前記現子局と接続される機器に係わる情報を抽出するとともに、記憶した前記第２データより前記新子局と接続される機器に係わる情報を抽出し、抽出した前記現子局と接続される機器に係わる情報及び前記新子局と接続される機器に係わる情報を前記第１データフォーマット又は前記第２データフォーマットに従って配列した送信データを生成すること、としてもよい。
【００１１】
また、上記の通信中継装置において、前記送信データ生成部は、前記現子局から前記第１データを受信したとき、又は、前記新子局から前記第２データを受信したとき、前記統合を行うこと、としてもよい。
【００１２】
また、上記の通信中継装置において、前記送信データ生成部は、前記現子局から前記第１データを受信したとき、受信した前記第１データに含まれる前記複数の機器に係わる情報と、前記第２データ情報記憶部に既に記憶されている前記第２データに含まれる前記複数の機器に係わる情報と、を統合し、前記新子局から前記第２データを受信したとき、前記第１データ情報記憶部に既に記憶されている前記第１データに含まれる前記複数の機器に係わる情報と、受信した前記第２データに含まれる前記複数の機器に係わる情報と、を統合すること、としてもよい。
【００１３】
また、上記の通信中継装置において、前記送信データ生成部は、前記新子局から前記第２データを受信したとき、前記第１データ情報記憶部に既に記憶されている前記第１データに含まれる前記複数の機器に係わる情報と、受信した前記第２データに含まれる前記複数の機器に係わる情報と、を統合すること、としてもよい。
【００１４】
また、上記の通信中継装置において、前記送信データ生成部は、前記第１データ情報記憶部に既に記憶されている前記第１データに含まれる前記第１データの第１取得時刻と、受信した前記第２データに含まれる前記第２データの第２取得時刻と、の時間差を算定し、算定した前記時間差が所定の時間差以内の場合、前記統合を行うこと、としてもよい。
【００１５】
また、上記の通信中継装置において、前記送信データ生成部は、前記第１取得時刻と現時刻との時間差が所定の時間差を上回るとき、前記第１データ情報記憶部に記憶される情報を消去し、前記第２取得時刻と現時刻との時間差が所定の時間差を上回るとき、前記第２データ情報記憶部に記憶される情報を消去すること、としてもよい。
【００１６】
また、上記の通信中継装置において、前記送信データ生成部は、前記送信データを前記親局に送信したとき、前記第１データ情報記憶部及び前記第２データ情報記憶部に記憶される情報を消去すること、としてもよい。
【００１７】
また、前述した課題を解決するその他の主たる本発明は、複数の機器と接続され当該複数の機器の夫々に係わる情報を第１データフォーマットに従って配列した第１データを生成する現子局、及び当該複数の機器と接続可能であり当該複数の機器の夫々に係わる情報を当該現子局の第１データフォーマットとは異なる第２データフォーマットに従って配列した第２データを生成する新子局と、親局との間のデータ通信を中継する通信中継装置の通信中継方法において、前記通信中継装置は、前記第１データフォーマットを表す情報と、前記第２データフォーマットを表す情報と、前記複数の機器が夫々前記現子局及び前記新子局の何れに接続されているかを示す接続情報と、を記憶するステップと、前記現子局から送信される前記第１データ又は前記新子局から送信される前記第２データを受信するステップと、受信した前記第１データ又は前記第２データに含まれる前記複数の機器に係わる情報を記憶するステップと、記憶した前記第１データフォーマットを表す情報、前記第２データフォーマットを表す情報及び前記接続情報に基づいて、記憶した前記第１データ及び前記第２データの夫々に含まれる前記複数の機器に係わる情報を統合した送信データを生成するステップと、生成した送信データを前記親局に送信するステップと、を有することを特徴とする。
【発明の効果】
【００１８】
本発明によれば、親局の既存の構成に与える影響を抑えつつ子局の取替作業を適切に行うことができる。
【発明を実施するための最良の形態】
【００１９】
＜＜＜遠隔監視制御システム＞＞＞
以下、図１を用いて、本発明の実施の形態に係わる遠隔監視制御システムの構成を説明する。
【００２０】
同図に示す遠隔監視制御システムは、制御所（支社、営業所、給電所等）に設置される親局としての遠隔監視制御装置（以下、親局と呼ぶ。）６０と、電気所（発電所、変電所、開閉所等）に設置される子局としての遠隔監視制御装置（以下、現子局と呼ぶ。）２０との間の通信ケーブルＬ４を介した通信によって、遠方の制御所より電気所が統括管理する機器（遮断器ＣＢ、開閉器ＳＷ１〜ＳＷＮ等）の遠隔監視制御を行っている。
【００２１】
具体的には、電気所では、遮断器ＣＢより延設された電線路Ｌ１上に開閉器ＳＷ１〜ＳＷＮが設けられ、開閉器ＳＷ１〜ＳＷＮにて開閉器子局ＴＣ１〜ＴＣＮが設けられる。開閉器子局ＴＣ１〜ＴＣＮは、自身が対応する開閉器ＳＷ１〜ＳＷＮのＳＶ情報（状態情報）並びにＴＭ情報（計測情報）を取得する機能を有する。また、遮断器ＣＢにて補助盤３０が設けられる。補助盤３０は、遮断器ＣＢのＳＶ情報並びにＴＭ情報を取得する機能を有する。現子局２０は、開閉器子局ＴＣ１〜ＴＣＮ、補助盤３０各々と通信ケーブルＬ２ａを介して接続されており、例えばポーリング伝送方式によって開閉器子局ＴＣ１〜ＴＣＮ、補助盤３０各々のＳＶ情報並びにＴＭ情報を取得する。
【００２２】
また、同図に示す遠隔監視制御システムでは、経年劣化やバージョンアップ等の理由により、電気所に設置される現子局２０を新しい遠隔監視制御装置（以下、新子局と呼ぶ。）４０に取り替えられる場合とする。尚、現子局２０と新子局４０は互いに取り扱うデータフォーマットが相違している。データフォーマットとは、現子局２０及び新子局４０が自身と接続される複数の機器の夫々に係わる情報をデータとして転送する際、その転送データ中の情報の配列順序を規定するものである。つまり、現子局２０と新子局４０とが同じ複数の機器を接続する場合であっても、転送データ中における複数の機器の夫々に係わる情報の配列順序が、現子局２０と新子局４０との間で相違している。
【００２３】
さらに、現子局２０を新子局４０に取り替える際、現子局２０に通信ケーブルＬ２ａを介して接続される全ての機器を一度に新子局４０との通信ケーブルＬ２ｂを介した新たな接続に切り替えようとすると停電範囲が広範囲となるため、部分的に停電範囲を設定しながら行うものとする。
【００２４】
従って、現子局２０と接続される全ての機器が新子局４０との接続に切り替えられるまでの間、親局６０にて現子局２０と新子局４０とが併存して動作することになる。この併存状態時の動作を補償するために、親局６０と現子局２０及び新子局４０との間に通信中継装置５０が設けられる。
【００２５】
通信中継装置５０は、親局６０が、現子局２０及び新子局４０による２台の子局を仮想的に１台の子局として認識してデータ通信することが可能な装置である。具体的には、通信中継装置５０は、「同一の電気所内のＳＶ情報及びＴＭ情報を２台の子局で処理する場合、個々のＳＶ情報及びＴＭ情報は２台の子局のうちいずれか一方で処理される」という点に着眼し、現子局２０及び新子局４０各々のＳＶ情報及びＴＭ情報を、現子局２０又は新子局４０のいずれか一方のデータフォーマットに統一して送信データを生成する機能を有している。これにより、親局６０は、現子局２０及び新子局４０を、現子局２０又は新子局４０のいずれか一方のデータフォーマットに対応した１台の子局として認識することができる。
【００２６】
尚、通信中継装置５０は、子局の取替作業の際に電気所に運搬されて利用されるものとし、現子局２０及び新子局４０にて外付けされる場合とする。従って、通信中継装置５０は、通信ケーブルＬ３ａを介して現子局２０と接続され、通信ケーブルＬ３ｂを介して新子局４０と接続され、通信ケーブルＬ４を介して親局６０と接続される。
【００２７】
一方、制御所では、上記のとおり通信ケーブルＬ４を介して電気所の通信中継装置５０と接続される親局６０が設置される。また、親局６０が取得した情報を用いて遠隔監視制御を統括制御する監視制御サーバ７０と、その端末８０が設けられる。
【００２８】
親局６０は、例えばサイクリック伝送手順（Cyclic Digital Telemeter）によって、現子局２０及び新子局４０が各々取得したＳＶ情報及びＴＭ情報を通信中継装置５０を介して取得する機能を有する。尚、ポーリング伝送手順は、伝送されるデータに関してその伝送速度が低速であり、またそのデータ量が少ない場合に有効であるのに、サイクリック伝送手順は、伝送されるデータに関してその伝送速度が高速であり、またそのデータ量が多い場合に有効である。
【００２９】
＜＜＜通信中継装置＞＞＞
以下では、図２乃至図６を用いて、通信中継装置５０の詳細な構成を説明する。尚、親局６０、現子局２０、新子局４０は、モデム６１、２１、４１が内蔵される場合とする。また、現子局２０が通信ケーブルＬ２ａを介して接続される機器は、開閉器ＳＷ１〜ＳＷ１６、電気所の所定の電圧を計測する計器用変圧器ＰＤ１〜ＰＤ３、電気所の所定の電流を計測する変流器ＣＴ１〜ＣＴ３とする。この場合、ＳＶ情報は、開閉器ＳＷ１〜ＳＷ１６の開閉状態を示す情報であり、ＴＭ情報は、計器用変圧器ＰＤ１〜ＰＤ３により計測された電圧、変流器ＣＴ１〜ＣＴ３により計測された電流とする。
【００３０】
通信中継装置５０は、現子局２０に対応して、モデム５１ａ、第１データ分離部５２ａ、第１データ情報記憶部５３ａを有し、また、新子局４０に対応して、モデム５１ｂ、第２データ分離部５２ｂ、第２データ情報記憶部５３ｂを有し、さらに、親局６０に対応して、モデム５６を有する。さらに、通信中継装置５０は、送信データ生成情報記憶部５４、送信データ生成部５５を有する。
【００３１】
モデム５１ａは、現子局２０と一対になって動作する変調復調装置である。現子局２０は、現子局２０と通信ケーブルＬ２ａを介して接続される機器（ＰＤ１〜ＰＤ３、ＣＴ１〜ＣＴ３、ＳＷ１〜ＳＷ１６のいずれか）より取得したＳＶ情報及びＴＭ情報に、その取得時刻（時、分、秒等）、その機器の種別ＩＤ（ＳＶ項目又はＴＭ項目）、現子局２０並びに通信中継装置５０の宛先等を付与した第１データを生成する。モデム２１は、この生成した第１データに所定の変調方式に従った搬送信号を重畳させることで変調し、通信ケーブルＬ３ａを介してモデム５１ａに送信する。このとき、モデム５１ａは、モデム２１から受信したデータから搬送信号を除去することで元の第１データに復調する。
【００３２】
第１データ分離部５２ａは、モデム５１ａにより復調された第１データから各情報を分離して、第１データ情報記憶部５３ａを構成する個々のレジスタに格納する。尚、第１データ情報記憶部５３ａは、個々のレジスタに格納する他、所定のメモリに区画した個々の領域に記憶する形態であってもよい。
【００３３】
モデム５１ｂは、新子局４０と一対になって動作する変調復調装置である。新子局４０は、新子局４０と通信ケーブルＬ２ｂを介して接続される機器（ＰＤ１〜ＰＤ３、ＣＴ１〜ＣＴ３、ＳＷ１〜ＳＷ１６のいずれか）より取得したＳＶ情報及びＴＭ情報に、その取得時刻（時、分、秒等）、その機器の種別ＩＤ（ＳＶ項目又はＴＭ項目）、現子局２０並びに通信中継装置５０の宛先等を付与した第２データを生成する。尚、当該第２データは、上記のとおり、現子局２０の第１データとはデータフォーマットが相違している。モデム４１は、この生成した第２データに所定の変調方式に従った搬送信号を重畳させることで変調し、通信ケーブルＬ３ｂを介してモデム５１ｂに送信する。このとき、モデム５１ｂは、モデム４１から受信したデータから搬送信号を除去することで元の第２データに復調する。
【００３４】
第２データ分離部５２ｂは、モデム５１ｂにより復調された第２データから各情報を分離して、第２データ情報記憶部５３ｂを構成する個々のレジスタに格納する。尚、第２データ情報記憶部５３ｂは、個々のレジスタに格納する他に、所定のメモリに区画した個々の領域に記憶する形態であってもよい。尚、第２データ情報記憶部５３ｂは、個々のレジスタに格納する他、所定のメモリに区画した個々の領域に記憶する形態でもよく、この場合、第１データ情報記憶部５３ａ、５３ｂは、一つの所定のメモリとして実施してもよい。
【００３５】
送信データ生成情報記憶部５４は、通信中継装置５０のモデム５６から親局６０のモデム６１に送信される送信データを生成するための情報を記憶する。尚、送信データを生成するための情報は、図３（ａ）に示す現子局２０のＳＶ項目データフォーマット表５４１、図３（ｂ）に示す現子局２０のＴＭ項目データフォーマット表５４２、図４（ａ）に示す新子局４０のＳＶ項目データフォーマット表５４３、図４（ｂ）に示す新子局４０のＴＭ項目データフォーマット表５４４、図５（ａ）に示すＳＶ項目接続子局表５４５、図５（ｂ）に示す新子局４０のＳＶ項目データフォーマット表５４３を基準としたＳＶ項目送信データフォーマット表５４６、図６（ａ）に示すＴＭ項目接続子局表５４７、図６（ｂ）に示す新子局４０のＴＭ項目データフォーマット表５４４を基準としたＴＭ項目送信データフォーマット表５４８とする。尚、送信データ生成情報記憶部５４に記憶される情報は、不図示の端末によって更新や書き換えが可能とする。
【００３６】
図３（ａ）に示されるＳＶ項目データフォーマット表５４１は、現子局２０より受信した第１データ中の各ワード並びに各ビットに割り当てられた、現子局２０と接続されるＳＶ項目（開閉器ＳＷ１〜ＳＷ１６）を示した表である。例えば、ＳＶ項目として開閉器ＳＷ５の開閉状態を示すためのビットは、第１データ中の１ワード目の４ビット目に割り当てられる。
【００３７】
図３（ｂ）に示されるＴＭ項目データフォーマット表５４２は、現子局２０より受信した第１データの各ワードに割り当てられた、現子局２０と接続されるＴＭ項目（計器用変圧器ＰＤ１〜ＰＤ３、変流器ＣＴ１〜ＣＴ３）を示した表である。例えば、ＴＭ項目として計器用変圧器ＰＤ３により計測された電圧を示すためのワードは、受信した第１データの５２ワード目に割り当てられる。
【００３８】
図４（ａ）に示されるＳＶ項目データフォーマット表５４３は、新子局４０より受信した第２データ中の各ワード並びに各ビットに割り当てられた、新子局４０と接続されるＳＶ項目（開閉器ＳＷ１〜ＳＷ１６）を示した表である。例えば、ＳＶ項目として開閉器ＳＷ５の開閉状態を示すためのビットは、第２データ中の１ワード目のＥビット目に割り当てられる。つまり、開閉器ＳＷ５の開閉状態を示すビットは、現子局２０と新子局４０との間で相違している。尚、図４（ａ）では、現子局２０と新子局４０との間でＳＶ項目の割り当てが異なるビットを白黒水玉模様の欄で表現している。
【００３９】
図４（ｂ）に示されるＴＭ項目データフォーマット表５４４は、新子局４０より受信した第２データ中の各ワードに割り当てられた、新子局４０と接続されるＴＭ項目（計器用変圧器ＰＤ１〜ＰＤ３、変流器ＣＴ１〜ＣＴ３）を示すテーブルである。例えば、ＴＭ項目として計器用変圧器ＰＤ３により計測された電圧を示すためのワードは、第２データ中の５４ワード目に割り当てられる。つまり、計器用変圧器ＰＤ３により計測された電圧を示すためのワードは、現子局２０と新子局４０との間で相違している。尚、図４（ｂ）では、現子局２０及び新子局４０との間でＴＭ項目の割り当てが異なるワードを白黒水玉模様の欄で表現している。
【００４０】
図５（ａ）に示されるＳＶ項目接続子局表５４５は、子局取替作業の段階毎に、ＳＶ項目と接続される現子局２０又は新子局４０の情報を示すテーブルである。尚、図５（ａ）の中で、○印は現子局２０との接続を表しており、▲印は新子局４０との接続を表している。従って、第１段階では、開閉器ＳＷ５のみが現子局２０との接続から新子局４０との接続に切り替えられ、第２段階では、第１段階より更に開閉器ＳＷ１〜ＳＷ２、ＳＷ６〜ＳＷ９が現子局２０との接続から新子局４０との接続に切り替えられ、第３段階では、第２段階より更に開閉器ＳＷ３〜ＳＷ４、ＳＷ１０〜ＳＷ１２が現子局２０との接続から新子局４０との接続に切り替えられる旨を表している。
【００４１】
図５（ｂ）に示されるＳＶ項目送信データフォーマット表５４６は、ＳＶ項目接続子局表５４５の内容に従って子局取替作業の段階毎に規定される、モデム５６からモデム６１に送信される送信データのデータフォーマットを示すテーブルである。尚、ＳＶ項目送信データフォーマット表５４６は、新子局４０のＳＶ項目データフォーマット表５４３を基準としており、新子局４０より受信した第２データについては新子局４０のデータフォーマットがそのまま使用されるが、現子局２０より受信した第１データについては新子局４０のデータフォーマットが使用される場合を想定している。
【００４２】
例えば、初期状態では、現子局２０と接続される開閉器ＳＷ１〜ＳＷ１６の開閉状態は、新子局４０のＳＶ項目データフォーマット表５４３の内容に応じた１ワード目の各ビットが割り当てられる。また、第１段階では、１ワード目のＥビット目のみが、新子局４０と接続される開閉器ＳＷ５の開閉状態に割り当てられ、１ワード目のＥビット以外のビットは、初期状態と同じ新子局４０のデータフォーマットに従った開閉器の開閉状態に割り当てられる。また、第２段階では、第１段階より更に０、１ビット目並びに５乃至８ビット目が、新子局４０と接続される各開閉器の開閉状態に割り当てられる。また、第３段階では、第２段階より更に２乃至４ビット目並びにＡ、Ｂビット目が、新子局４０と接続される各開閉器の開閉状態に割り当てられる。
【００４３】
尚、ＳＶ項目送信データフォーマット表５４６は、現子局２０のＳＶ項目データフォーマット表５４１を基準としてもよい。つまり、現子局２０より受信した第１データについては現子局２０のデータフォーマットがそのまま使用され、新子局４０より受信した第２データについては現子局２０のデータフォーマットが使用される場合であってもよい。
【００４４】
図６（ａ）に示されるＴＭ項目接続子局表５４７は、子局取替作業の段階毎に、ＴＭ項目と接続される現子局２０又は新子局４０の情報を示すテーブルである。尚、図６（ａ）の中で、○印は現子局２０との接続を表しており、▲印は新子局４０との接続を表している。従って、第１段階では、計器用変圧器ＰＤ１、ＰＤ２が現子局２０との接続から新子局４０との接続に切り替えられ、第２段階では、第１段階より更に計器用変圧器ＰＤ３、変流器ＣＴ１が現子局２０との接続から新子局４０との接続に切り替えられ、第３段階では、第２段階より更に変流器ＣＴ２が現子局２０との接続から新子局４０との接続に切り替えられる旨を表している。
【００４５】
図６（ｂ）に示されるＴＭ項目送信データフォーマット表５４８は、ＴＭ項目接続子局表５４７の内容に従って子局取替作業の段階毎に規定される、モデム５６からモデム６１に送信される送信データのデータフォーマットを示すテーブルである。尚、ＴＭ項目送信データフォーマット表５４８は、新子局４０のＴＭ項目データフォーマット表５４４を基準としており、新子局４０より受信した第２データについては新子局４０のデータフォーマットがそのまま使用されるが、現子局２０より受信した第１データについては新子局４０のデータフォーマットが使用される場合を想定している。
【００４６】
例えば、初期状態では、現子局２０と接続される計器用変圧器ＰＤ１〜ＰＤ３により計測された電圧や、変流器ＣＴ１〜ＣＴ３により計測された電流は、ＴＭ項目データフォーマット表５４４の内容に応じた５０ワード目から５５ワード目のいずれかに割り当てられる。また、第１段階では、５０ワード目と５１ワード目が、新子局４０と接続される計器用変圧器ＰＤ１、ＰＤ２により計測された電圧に割り当てられ、５２ワード目から５５ワード目が、初期状態と同じ新子局４０のデータフォーマットに従った計器用変圧器ＰＤ３により計測された電圧、変流器ＣＴ１〜ＣＴ３により計測された電流に割り当てられる。また、第２段階では、第１段階より更に５２ワード目と５３ワード目が新子局４０と接続される変流器ＣＴ１、ＣＴ２に割り当てられる。また、第３段階では、第２段階より更に５４ワード目が新子局４０と接続される計器用変圧器ＰＤ３に割り当てられる。
【００４７】
尚、ＴＭ項目送信データフォーマット表５４８は、現子局２０のＴＭ項目データフォーマット表５４２を基準としてもよい。つまり、現子局２０より受信した第１データについては現子局２０のデータフォーマットがそのまま使用され、新子局４０より受信した第２データについては現子局２０のデータフォーマットが使用される場合であってもよい。
【００４８】
送信データ生成部５５は、送信データ生成情報記憶部５４に記憶されるデータフォーマットに係わる情報に基づいて、第１データ情報記憶部５３ａに記憶されている現子局２０に接続された機器に係わる情報（１ワード分のデータ、取得時刻、機器種別ＩＤ等）と、第２データ情報記憶部５３ｂに記憶されている新子局２０に接続された機器に係わる情報（１ワード分のデータ、取得時刻、機器の種別ＩＤ等）と、を統合した送信データを生成してモデム５６に出力する。尚、送信データ生成部５５は、第１データ情報記憶部５３ａ、第２データ情報記憶部５３ｂから夫々読み出した情報を統合する際の中間データを格納するレジスタを有している。
【００４９】
モデム５６は、親局６０のモデム６１と一対になって動作する変調復調装置である。モデム５６は、送信データ生成部５５により生成された送信データに対し所定の変調方式に従った搬送信号を重畳させることで変調し、通信ケーブルＬ４を介して親局６０のモデム６１に送信する。
【００５０】
＜＜＜子局取替時における通信中継方法＞＞＞
＝＝＝同期ずれの短縮化を優先する場合＝＝＝
以下では、親局６０側の負荷制約よりも、現子局２０から受信した第１データと新子局４０から受信した第２データとの間の同期ずれの短縮化を優先した、子局取替時の通信中継方法を説明する。
【００５１】
通信中継装置５０は、現子局２０から第１データを受信したタイミングで、新子局４０から同一の取得時刻の第２データの受信を待たずに、第２データ情報記憶部５３ｂに記憶された新子局４０の最新の情報を使用することで送信データを生成し、親局６０に送信する。同様に、新子局４０から第２データを受信したタイミングで、現子局２０から同一の取得時刻の第１データの受信を待たずに、第１データ情報記憶部５３ａに記憶された現子局２０の最新の情報を使用することで送信データを生成し、親局６０に送信する。
【００５２】
尚、新子局４０より受信した第２データはもとより、現子局２０より受信した第１データについても新子局４０のデータフォーマットに従って送信データを生成する。また、送信データには、現子局２０又は新子局４０から受信したデータに含まれる取得時刻を含めることにする。また、現子局２０の時計機能並びに新子局４０の時計機能は、親局６０からの同期信号又は手動調整によって予め同期させる。
【００５３】
以上のとおり、通信中継装置５０は、現子局２０又は新子局４０のいずれか一方から第１データ又は第２データを受信したタイミングで速やかに、送信データを生成して親局６０に送信することにした。この結果、現子局２０から受信する第１データと新子局４０から受信する第２データとの間では１周期（現子局２０又は新子局４０から通信中継装置５０に向けて第１データ又は第２データを送信するのに要する１周期）分の同期ずれで済ませることができる。例えば、後述の親局６０の負荷制約を優先する手法であれば、現子局２０及び新子局４０から受信した第１データ及び第２データ夫々の取得時刻ｔ１、ｔ２が所定の時間差内に収まるように、現子局２０又は新子局４０から新たな第１データ又は第２データの受信を待つ待ち時間が発生する場合がある。この場合、１周期を超える同期ずれが発生することになる。
【００５４】
以下では、図７乃至図１０を用いて、同期ずれの短縮化を優先した子局取替時における通信中継方法を説明する。
【００５５】
図７は、通信中継装置５０による子局取替時における親局６０との通信中継方法の全体フローを示したフローチャートである。
【００５６】
まず、全ての機器（開閉器ＳＷ１〜ＳＷ１６、計器用変圧器ＰＤ１〜ＰＤ３、変流器ＣＴ１〜ＣＴ３）が現子局２０に接続された初期状態から段階的に新子局４０との接続に切り替えられる場合とする。この場合、通信中継装置５０は、機器と現子局２０並びに新子局４０との間の接続状況に応じて、ＳＶ項目接続子局表５４５並びにＴＭ項目接続子局表５４７における作業段階が特定され、ＳＶ項目送信データフォーマット表５４６並びにＴＭ項目送信データフォーマット表５４８より作業段階に応じた送信データフォーマットが特定される（Ｓ７０１）。
【００５７】
以上の環境下で、通信中継装置５０は、モデム５１ａにおいて現子局２０より機器のＳＶ項目又はＴＭ項目に関する第１データを受信したとき、第１データ分離部５２ａより受信した第１データの各情報を分離して第１データ情報記憶部５３ａに記憶し（Ｓ７０２〜Ｓ７０４）、Ｓ７０８に進む。
【００５８】
若しくは、モデム５１ｂにおいて新子局４０より機器のＳＶ項目又はＴＭ項目に関する第２データを受信したとき、第２データ分離部５２ｂより受信した第２データの各情報を分離して第２データ情報記憶部５３ｂに記憶し（Ｓ７０５〜Ｓ７０７）、Ｓ７０８に進む。
【００５９】
つぎに、通信中継装置５０は、送信データ生成部５５によって、新子局４０より受信した第２データはもとより現子局２０より受信した第１データについても新子局４０のデータフォーマットに従わせるという条件で、接続段階毎に特定される送信データフォーマットに基づいて、送信データを生成する（Ｓ７０８）。そして、この生成された送信データがモデム５６により変調され、親局６０のモデム６１に送信される（Ｓ７０９）。
【００６０】
尚、送信データ生成部５５による送信データの生成（Ｓ７０８）は、図８に示すフローチャートに示される手順に従うものとする。
【００６１】
まず、送信データ生成部５５は、第１データ情報記憶部５３ａに記憶される現子局２０より受信したＳＶ項目又はＴＭ項目に関する情報並びに第２データ情報記憶部５３ｂに記憶される新子局４０より受信したＳＶ項目又はＴＭ項目に関する情報を読み出す（Ｓ８００）。尚、第１データ情報記憶部５３ａより読み出した情報に含まれる取得時刻はｔ１であり、第２データ情報記憶部５３ｂより読み出した情報に含まれる取得時刻はｔ２とする。
【００６２】
つぎに、送信データ生成部５５は、送信データを生成する契機となった受信したデータが現子局２０又は新子局４０のいずれから受信されたものであるかを判別する（Ｓ８０１）。具体的には、第１データ情報記憶部５３ａより読み出した情報に含まれる取得時刻ｔ１と、第２データ情報記憶部５３ｂより読み出した情報に含まれる取得時刻ｔ２とを比較する。取得時刻ｔ１よりも取得時刻ｔ２の方が後（最新）である場合、新子局４０から受信したことを判別し、取得時刻ｔ２よりも取得時刻ｔ１の方が後（最新）である場合、現子局２０から受信したことを判別する。
【００６３】
新子局４０から受信したことを判別した場合、接続段階毎に特定される送信データフォーマットに基づいて、第１データ情報記憶部５３ａに記憶される現子局２０より受信した第１データの情報と第２データ情報記憶部５３ｂに記憶される新子局４０より受信した第２データの情報とを統合し、送信データを生成する。尚、この送信データには取得時刻ｔ２を含める（Ｓ８０２）。
【００６４】
一方、現子局２０から受信したことを判別した場合、接続段階毎に特定されるデータフォーマットに基づいて、第１データ情報記憶部５３ａに記憶される現子局２０より受信した第１データの情報と第２データ情報記憶部５３ｂに記憶される新子局４０より受信した第２データの情報とを統合し、送信データを生成する。尚、この送信データには取得時刻ｔ１を含める（Ｓ８０３）。
【００６５】
図９は、図８に示す手順に従ってＳＶ項目に関する送信データが生成されることを模式的に表現した図である。図９に示す例としては、開閉器ＳＷ１、ＳＷ２、ＳＷ３が現子局２０に接続された状態から、開閉器ＳＷ３のみが新子局４０との接続に切り替えられる場合とする。従って、現子局２０から受信する第１データ（取得時刻ｔ１が登録）に関して、開閉器ＳＷ３に係わるＳＶ情報は無効な情報であり、また、新子局４０から受信する第２データ（取得時刻ｔ２が登録）に関して、開閉器ＳＷ１、ＳＷ２に係わるＳＶ情報は無効な情報である。
【００６６】
取得時刻ｔ１の方が取得時刻ｔ２よりも前の時刻であるため、まず、現子局２０と接続された開閉器ＳＷ１、ＳＷ２に係わるＳＶ情報が新子局４０のデータフォーマットに従って送信データに含められて親局６０に送信される。尚、送信データには取得時刻ｔ１を含めることとし、また開閉器ＳＷ３に係わるＳＶ情報を受信してはいないが、第２データ情報記憶部５３ｂに記憶される最新の情報を送信データに含めることで、開閉器ＳＷ３に係わるＳＶ情報についての空送信を防止することとする。
【００６７】
つぎに、新子局４０と接続された開閉器ＳＷ３に係わるＳＶ情報が新子局４０のデータフォーマットに従って送信データに含められて親局６０に送信される。尚、送信データには取得時刻ｔ２を含めることとし、また開閉器ＳＷ１、ＳＷ２に係わるＳＶ情報を受信してはいないが、第１データ情報記憶部５３ａに記憶される最新の情報を送信データに含めることで、開閉器ＳＷ１、ＳＷ２に係わるＳＶ情報についての空送信を防止することとする。
【００６８】
図１０は、図８に示す手順に従ってＴＭ項目に関する送信データが生成されることを模式的に表現した図である。図１０に示す例としては、計器用変圧器ＰＤ１、ＰＤ２、変流器ＣＴ１が現子局２０と接続された状態から、変流器ＣＴ１は新子局４０との接続に切り替えられる場合とする。従って、現子局２０から受信する第１データ（取得時刻ｔ１が登録）に関して、変流器ＣＴ１に係わるＴＭ情報（電流情報）は無効な情報であり、また、新子局４０から受信する第２データ（取得時刻ｔ２が登録）に関して、計器用変圧器ＰＤ１、ＰＤ２に係わるＴＭ情報（電圧情報）は無効な情報である。
【００６９】
取得時刻ｔ１の方が取得時刻ｔ２よりも前の時刻のため、まず、現子局２０と接続された計器用変圧器ＰＤ１、ＰＤ２に係わるＴＭ情報が受信されたとき、新子局４０のデータフォーマットに従って送信データに含められて親局６０に送信される。尚、送信データには取得時刻ｔ１を含めることとする。また、第２データ情報記憶部５３ｂに記憶される最新の情報を送信データの生成に使用することで、変流器ＣＴ１に係わるＴＭ情報についての空送信を防止する。
【００７０】
つぎに、新子局４０と接続された変流器ＣＴ１に係わるＴＭ情報が受信されたとき、新子局４０のデータフォーマットに従って送信データに含められて親局６０に送信される。尚、送信データには取得時刻ｔ２を含めることとする。また、第１データ情報記憶部５３ａに記憶される最新の情報を送信データの生成に使用することで、計器用変圧器ＰＤ１、ＰＤ２に係わるＴＭ情報についての空送信を防止する。
【００７１】
＝＝＝親局側の負荷制約を優先する場合（ＴＭ情報のみ）＝＝＝
以下、現子局２０から受信した第１データと新子局４０から受信した第２データとの間の同期ずれの短縮化よりも、親局６０側の負荷制約を優先した、子局取替時の通信中継方法を説明する。尚、本通信中継方法は、ＴＭ情報のみに適用することとする。ＴＭ情報は、ＳＶ情報と比べて静的（定性的）な監視制御に使用される情報であるため、数秒程度の誤差が問題となる可能性が低いからである。
【００７２】
通信中継装置５０は、現子局２０から第１データを受信した場合には送信データを生成せず、新子局４０から第２データを受信したタイミングで、第２データ情報記憶部５３ｂに記憶された現子局２０の最新の情報を使用することで送信データを生成し、親局６０に送信する。
【００７３】
尚、現子局２０及び新子局４０から受信した第１データ及び第２データを統合する際、現子局２０及び新子局４０から受信した第１データ及び第２データ夫々の取得時刻が所定の時間差以内に収まることを条件とする。所定の時間差を超える場合には、新子局４０からの新たな第２データの受信を待って再び上記の統合のための条件の判定を行う。また、第１データ情報記憶部５３ａ、５３ｂに記憶される情報は、所定時間経過後に自動的に消去される。親局６０に送信データを送信した場合も同様に第１データ情報記憶部５３ａ、５３ｂに記憶される情報が消去される。
【００７４】
また、新子局４０より受信した第２データはもとより、現子局２０より受信した第１データについても新子局４０のデータフォーマットに従って送信データを生成して親局６０に送信する。また、送信データには、新子局４０から受信した第２データに含まれる取得時刻を含める。また、現子局２０の時計機能並びに新子局４０の時計機能は、親局６０からの同期信号又は手動調整によって同期がとれていることとする。
【００７５】
このように、現子局２０及び新子局４０から受信した第１データ及び第２データ夫々の取得時刻ｔ１、ｔ２が所定の時間差以内に収まっている場合に限り、送信データを生成して親局６０に送信するようにした結果、通信中継装置５０と親局６０との間の通信量を抑えることができる。
【００７６】
以下、図１１乃至図１３を用いて、子局取替時における親局６０側の負荷制約を優先した通信中継方法を説明する。
【００７７】
図１１は、通信中継装置５０による子局取替時における親局６０との通信中継方法の全体フローを示したフローチャートである。
【００７８】
まず、全ての機器（開閉器ＳＷ１〜ＳＷ１６、計器用変圧器ＰＤ１〜ＰＤ３、変流器ＣＴ１〜ＣＴ３）が現子局２０と接続された初期状態から段階的に新子局４０との接続に切り替えられる場合とする。この場合、通信中継装置５０は、機器と現子局２０並びに新子局４０との接続状況に応じて、ＴＭ項目接続子局表５４７における作業段階が特定され、ＴＭ項目送信データフォーマット表５４８より作業段階に応じたデータフォーマットが特定される（Ｓ１１０１）。
【００７９】
以上の状況下で、通信中継装置５０は、モデム５１ａにおいて現子局２０より機器のＴＭ項目に関する第１データを受信したときには、第１データ分離部５２ａより受信した第１データの各情報を分離して第１データ情報記憶部５３ａに記憶する（Ｓ１１０２〜Ｓ１１０４）。その後、第１データ情報記憶部５３ａに記憶される第１データの情報に含まれる取得時刻ｔ１と現在時刻との時間差の絶対値が、所定の閾値δ１を超えるか否かが判定され（Ｓ１１０５）、所定の閾値δ１を超える場合（Ｓ１１０５：ＹＥＳ）、第１データ情報記憶部５３ａに記憶された情報が消去される（Ｓ１１０６）。そして、Ｓ１１０２又はＳ１１０７に戻り、新たな第１データの受信を待つ。
【００８０】
或いは、モデム５１ｂにおいて新子局４０より機器のＳＶ項目又はＴＭ項目に関する第２データを受信したとき、第２データ分離部５２ｂより受信した第２データの各情報を分離して第２データ情報記憶部５３ｂに記憶する（Ｓ１１０７〜Ｓ１１０９）。その後、第２データ情報記憶部５３ｂに記憶される情報に含まれる取得時刻ｔ２と現在時刻との時間差の絶対値が、所定の閾値δ１を超えるか否かが判定され（Ｓ１１１０）、所定の閾値δ１を超える場合（Ｓ１１１０：ＹＥＳ）、第２データ情報記憶部５３ｂに記憶された情報が消去される（Ｓ１１１１）。そして、Ｓ１１０２又はＳ１１０７に戻り、新たな第２データの受信を待つ。
【００８１】
尚、所定の閾値δ１を超えない場合（Ｓ１１１０：ＮＯ）、送信データ生成部５５によって、新子局４０より受信した第２データはもとより現子局２０より受信した第１データについても新子局４０のデータフォーマットに統一するという条件で、接続段階毎に特定される送信データフォーマットに基づいて、送信データを生成する（Ｓ１１１２）。そして、生成された送信データがモデム５６により変調され、親局６０のモデム６１に送信され（Ｓ１１１３）、その後、第１データ情報記憶部５３ａと第２データ情報記憶部５３ｂ双方に記憶されている情報を消去する（Ｓ１１１４）。
【００８２】
尚、送信データ生成部５５による送信データの生成（Ｓ１１１２）は、図１２に示すフローチャートに示される手順に従うものとする。
【００８３】
まず、送信データ生成部５５は、第１データ情報記憶部５３ａに記憶される現子局２０より受信したＴＭ項目に関する情報並びに第２データ情報記憶部５３ｂに記憶される新子局４０より受信したＴＭ項目に関する情報を読み出す（Ｓ１２００）。
【００８４】
つぎに、送信データ生成部５５は、第１データ情報記憶部５３ａより読み出した情報に含まれる取得時刻ｔ１と、第２データ情報記憶部５３ｂより読み出した情報に含まれる取得時刻ｔ２と、の時間差の絶対値が、所定の閾値δ２を下回るか否かを判定する（Ｓ１２０１）。所定の閾値δ２を下回る場合（Ｓ１２０１：ＹＥＳ）、特定した送信データフォーマットに基づいて、第１データ情報記憶部５３ａに記憶される現子局２０より受信した第１データの情報並びに第２データ情報記憶部５３ｂに記憶される新子局４０より受信した第２データの情報を統合することで、送信データを生成する。尚、この送信データには取得時刻ｔ２を含めるようにする（Ｓ１２０２）。一方、所定の閾値δ２を上回る場合（Ｓ１２０１：ＮＯ）、送信データの生成を行わず、図１１に示したＳ１１１０に戻る。
【００８５】
図１３は、図１２に示す手順に従ってＴＭ項目に関する送信データが生成されることを模式的に表現した図である。図１３に示す例としては、計器用変圧器ＰＤ１、ＰＤ２、変流器ＣＴ１が現子局２０と接続された状態から、変流器ＣＴ１は新子局４０との接続に切り替えられる場合とする。従って、現子局２０から受信する第１データ（取得時刻ｔ１が登録）に関して、変流器ＣＴ１に係わるＴＭ情報（電流情報）は無効な情報であり、また、新子局４０から受信する第２データ（取得時刻ｔ２が登録）に関して、計器用変圧器ＰＤ１、ＰＤ２に係わるＴＭ情報（電圧情報）は無効な情報である。
【００８６】
取得時刻ｔ１の方が取得時刻ｔ２よりも前の時刻であるため、まず、現子局２０と接続された計器用変圧器ＰＤ１、ＰＤ２に係わるＴＭ情報が第１データ情報記憶部５３ａに記憶される。尚、現子局２０から受信した第１データであるため、送信データの生成を行わない。
【００８７】
つぎに、新子局４０と接続された変流器ＣＴ１に係わるＴＭ情報が第２データ情報記憶部５３ｂに記憶される。このとき、送信データ生成部５５は、第１データ情報記憶部５３ａに記憶される計器用変圧器ＰＤ１、ＰＤ２に係わるＴＭ情報と、第２データ情報記憶部５３ｂに記憶される変流器ＣＴ１に係わるＴＭ情報と、を、新子局４０のデータフォーマットに従って統合することで、送信データを生成して親局６０に送信する。尚、送信データには取得時刻ｔ２を含めることとする。
【００８８】
以上、本実施の形態について説明したが、前述した実施例は、本発明の理解を容易にするためのものであり、本発明を限定して解釈するためのものではない。本発明は、その趣旨を逸脱することなく、変更／改良され得るととともに、本発明にはその等価物も含まれる。
【図面の簡単な説明】
【００８９】
【図１】本発明の実施の形態に係わる遠隔監視制御システムの構成を示した図である。
【図２】本発明の実施の形態に係わる通信中継装置の構成を示した図である。
【図３】図３（ａ）は、本発明の実施の形態に係わる現子局のＳＶ項目データフォーマット表を示した図であり、図３（ｂ）は、本発明の実施の形態に係わる現子局のＴＭ項目データフォーマット表を示した図である。
【図４】図４（ａ）は、本発明の実施の形態に係わる新子局のＳＶ項目データフォーマット表を示した図であり、図４（ｂ）は、本発明の実施の形態に係わる新子局のＴＭ項目データフォーマット表を示した図である。
【図５】図５（ａ）は、本発明の実施の形態に係わるＳＶ項目接続子局表を示した図であり、図５（ｂ）は、本発明の実施の形態に係わるＳＶ項目送信データフォーマット表を示した図である。
【図６】図６（ａ）は、本発明の実施の形態に係わるＴＭ項目接続子局表を示した図であり、図６（ｂ）は、本発明の実施の形態に係わるＴＭ項目送信データフォーマット表を示した図である。
【図７】本発明の実施の形態に係わる通信中継装置による子局取替時における通信中継方法の全体フローを示したフローチャートである。
【図８】本発明の実施の形態に係わる送信データの生成手順を示すフローチャートである。
【図９】図８に示すフローチャートに従ってＳＶ項目に関する送信データが生成されることを模式的に表現した図である。
【図１０】図８に示すフローチャートに従ってＴＭ項目に関する送信データが生成されることを模式的に表現した図である。
【図１１】本発明の実施の形態に係わる通信中継装置による子局取替時におけるその他の通信中継方法の全体フローを示したフローチャートである。
【図１２】本発明の実施の形態に係わるその他の送信データの生成手順を示すフローチャートである。
【図１３】図１２に示すフローチャートに従ってＴＭ項目に関する送信データが生成されることを模式的に表現した図である。
【符号の説明】
【００９０】
２０    遠隔監視制御装置（現子局）
４０    遠隔監視制御装置（新子局）
５０    通信中継装置
５１ａ  モデム（第１データ受信部）
５１ｂ  モデム（第２データ受信部）
５２ａ  第１データ分離部
５２ｂ  第２データ分離部
５３ａ  第１データ情報記憶部
５３ｂ  第２データ情報記憶部
５４    送信データ生成情報記憶部
５４１  現子局のＳＶ項目データフォーマット表
５４２  現子局のＴＭ項目データフォーマット表
５４３  現子局のＳＶ項目データフォーマット表
５４４  現子局のＴＭ項目データフォーマット表
５４５  ＳＶ項目接続子局表
５４６  ＳＶ項目送信データフォーマット表
５４７  ＴＭ項目接続子局表
５４８  ＴＭ項目送信データフォーマット表
５５    送信データ生成部
５６    モデム
６０    遠隔監視制御装置（親局）
ＳＷ１〜ＳＷＮ  開閉器
ＰＤ１〜ＰＤ３  計器用変圧器
ＣＴ１〜ＣＴ３  変流器
【図１】
2010068238.tif 000003
【図２】
2010068238.tif 000004
【図３】
2010068238.tif 000005
【図４】
2010068238.tif 000006
【図７】
2010068238.tif 000007
【図８】
2010068238.tif 000008
【図９】
2010068238.tif 000009
【図１０】
2010068238.tif 000010
【図１１】
2010068238.tif 000011
【図１２】
2010068238.tif 000012
【図１３】
2010068238.tif 000013
【図５】
2010068238.tif 000014
【図６】
2010068238.tif 000015